(57)【要約】      （修正有）【課題】所有者を確認する識別手段が鞄に強固に取り付けられるとともに、容易に所有者を確認することができる鞄を提供する。【解決手段】所有者６０を確認することができる識別手段３０を備える鞄１０であり、識別手段は、鞄に固定され個別の識別記号３４が記載された第１の識別プレート３１と、鞄とは別体に設けられ第１の識別プレートと同形状且つ同じ識別記号が記載された第２の識別プレート４１とからなる。識別記号は、品番と、生産番号とを含み、第１の識別プレートは、鞄を運ぶ姿勢にした際の、鞄の上面２４又はフレーム２１の上部に設けられ、識別記号の向きが運ぶ人６４に対して外向きに配置されていることが好ましい。【選択図】図７
0003198591.tif 000002
【実用新案登録請求の範囲】
【請求項１】
所有者を確認することができる識別手段を備える鞄において、
前記識別手段は、前記鞄に固定され個別の識別記号が記載された第１の識別プレートと、前記鞄とは別体に設けられ前記第１の識別プレートと同形状且つ同じ識別記号が記載された第２の識別プレートとからなることを特徴とする鞄。
【請求項２】
前記識別記号は、品番と、生産番号とを含むことを特徴とする請求項１記載の鞄。
【請求項３】
前記第１の識別プレート及び前記第２の識別プレートは、端部に貫通穴が形成されていることを特徴とする請求項１又は請求項２記載の鞄。
【請求項４】
前記第２の識別プレートの前記貫通穴には、取り外し可能なリングが設けられていることを特徴とする請求項１〜３のいずれか１項記載の鞄。
【請求項５】
前記第１の識別プレートは、前記鞄を運ぶ姿勢にした際の、前記鞄の上面又はフレームの上部に設けられ、
前記識別記号の向きが運ぶ人に対して外向きに配置されていることを特徴とする請求項１〜４のいずれか１項記載の鞄。
【考案の詳細な説明】
【技術分野】
【０００１】
本考案は、ビジネスや旅行等で持ち運ぶ鞄に関し、特に、所有者を確認することができる識別手段を備えた鞄に関するものである。
【背景技術】
【０００２】
ビジネスや旅行等で航空機に搭乗して移動する際、機内の座席に持ち込めない大きな鞄は、空港の係に一旦預けられ貨物室に積み込まれて目的地に運ばれる。鞄の所有者は、目的地の空港で荷物引取ターンテーブルから鞄を引き取る。荷物引取ターンテーブルには乗客の鞄が複数個流れており、鞄の所有者はこの中から自分の鞄を取り出す。類似の鞄がある場合、他人が鞄を取り違えて持って行くことがある。鞄が取り違えられた場合の対策を施した技術が知られている（例えば、特許文献１（図１、図２）参照。）。
【０００３】
図８に示されるように、保護カバー１０１はパスポートサイズであり、鞄の所有者が所持する。保護カバー１０１には、サービスステーションの電話番号が記載されており、鞄を遺失した際にサービスステーションに電話をかけられるようになっている。
【０００４】
図９に示されるように、タグ１０２は鞄に取り付けられるものであり、紐を通す穴１０３が形成されている。タグ１０２には、サービスステーションの電話番号、鞄の所有者の携帯電話番号及び姓名が記載されている。
【０００５】
図１０に示されるように、航空機の乗客である鞄１０４の所有者１０５によって、タグ１０２の紐１０６が鞄１０４に結び付けられている。鞄１０４の所有者１０５は、航空機に搭乗する際に保護カバー１０１をパスポートのカバーとして機内に持ち込む。
【０００６】
到着空港の荷物引取ターンテーブル等で他人１０６が鞄１０４を取り違えて持ち去り、所有者１０５が鞄１０４の遺失に気が付いた際、所有者１０５は鞄１０４が遺失したことを携帯電話１０７からサービスステーション１０８に伝える。他人１０６が鞄１０４を取り違えたことに気が付いた際、他人１０６はタグ１０２からサービスステーション１０８の電話番号及び所有者１０５の電話番号を知り、サービスステーション１０８又は所有者１０５に鞄１０４を取り違えた旨を伝えて、鞄１０４を送る。
【０００７】
しかし、タグ１０２は穴１０３に紐１０６を通して鞄１０４に結び付けられているため、航空機に積み替えられる際に紐１０６がとれたり、タグ１０２が他の荷物と擦れて字がかすれ、所有者が不明になる虞がある。また、パスポートが不要な移動では所有者１０５が保護カバー１０１を所持しない場合もある。この場合、荷物引取ターンテーブルやホテルで他人１０６が鞄１０４を取り違えたことに直ぐに気が付いても、他人１０６を呼び止めて所有者１０５の鞄１０４であることを確認するのに、鞄１０４を開けて中身を確認する等の手間が掛かる。そこで、所有者を確認する識別手段が鞄に強固に取り付けられるとともに、容易に所有者を確認することができる技術が望まれる。
【先行技術文献】
【特許文献】
【０００８】
【特許文献１】特開２００６−７２９５９号公報
【考案の概要】
【考案が解決しようとする課題】
【０００９】
本考案は、所有者を確認する識別手段が鞄に強固に取り付けられるとともに、容易に所有者を確認することができる鞄を提供することを課題とする。
【課題を解決するための手段】
【００１０】
請求項１に係る考案では、所有者を確認することができる識別手段を備える鞄において、前記識別手段は、前記鞄に固定され個別の識別記号が記載された第１の識別プレートと、前記鞄とは別体に設けられ前記第１の識別プレートと同形状且つ同じ識別記号が記載された第２の識別プレートとからなることを特徴とする。
【００１１】
請求項２に係る考案では、識別記号は、品番と、生産番号とを含むことを特徴とする。
【００１２】
請求項３に係る考案では、第１の識別プレート及び第２の識別プレートは、端部に貫通穴が形成されていることを特徴とする。
【００１３】
請求項４に係る考案では、第２の識別プレートの貫通穴には、取り外し可能なリングが設けられていることを特徴とする。
【００１４】
請求項５に係る考案では、第１の識別プレートは、鞄を運ぶ姿勢にした際の、鞄の上面又はフレームの上部に設けられ、識別記号の向きが運ぶ人に対して外向きに配置されていることを特徴とする。
【考案の効果】
【００１５】
請求項１に係る考案では、識別手段は、鞄に固定され個別の識別記号が記載された第１の識別プレートと、鞄とは別体に設けられ第１の識別プレートと同形状且つ同じ識別記号が記載された第２の識別プレートとからなる。第１の識別プレートは鞄に固定されているので、鞄が空港等で積み替えられて他の荷物と接触した場合であっても従来技術のように紐がとれて外れることがなく、所有者を確認する識別手段を鞄に強固に取り付けることができる。
【００１６】
加えて、鞄とは別体に第２の識別プレートが設けられているので、鞄の所有者が第２の識別プレートを所持することで、空港に限らずにいずれの場所であっても所有者の鞄であることの確認、照合を行うことができる。さらに、第２の識別プレートは、第１の識別プレートと同形状且つ同じ識別記号が記載されているので、第１の識別プレートと同じ生産設備で生産することができ、生産コストを低減することができる。
【００１７】
請求項２に係る考案では、識別記号は、品番と、生産番号とを含むので、生産した工場、生産日時、部品の有無を容易に確認することができ、アフターサービスに対応することができる。
【００１８】
請求項３に係る考案では、第１の識別プレート及び第２の識別プレートは、端部に貫通穴が形成されている。第１の識別プレートの貫通穴に鋲を通して、鞄に容易に固定することができる。さらに第２の識別プレートの貫通穴に紐等を通して、携帯電話等のストラップとして使用し、常に持ち運ぶことができる。
【００１９】
請求項４に係る考案では、第２の識別プレートの貫通穴には、取り外し可能なリングが設けられているので、リングに鞄の鍵を取り付けることで所有者は忘れることなく必然的に且つ常に第２の識別プレートを所持することができる。加えて、リングを介して鞄以外の鍵、携帯バッグ等、他の物品に取り付けて容易に持ち運ぶことができる。さらに、リングを外すことで、財布の中等狭い空間に挟めて持ち運ぶことができる。
【００２０】
請求項５に係る考案では、第１の識別プレートは、鞄を運ぶ姿勢にした際の、鞄の上面又はフレームの上部に設けられ、識別記号の向きが運ぶ人に対して外向きに配置されている。このため、空港等で同じような鞄を持った他人に、鞄を取り違えて持って行かれても、第１の識別プレートの識別記号を容易に確認できる。結果、鞄を開けて中身を確認しなくても、その場で自分の鞄であることを容易に確認するともに、自分の鞄であることを証明することができる。
【図面の簡単な説明】
【００２１】
【図１】本考案に係る鞄の斜視図である。
【図２】第１の識別プレートの平面図である。
【図３】第１の識別プレートの正面図である。
【図４】第２の識別プレートを説明する図である。
【図５】鞄の平面図である。
【図６】鞄の取り違えの一例を説明する図である。
【図７】鞄の作用図である。
【図８】従来の技術の保護カバーの正面図である。
【図９】従来の技術のタグの正面図である。
【図１０】従来の技術の基本構成を説明する図である。
【考案を実施するための形態】
【００２２】
本考案を実施するための形態を添付図に基づいて以下に説明する。
【実施例】
【００２３】
先ず、本考案の実施例を図面に基づいて説明する。
図１に示されるように、鞄１０はスーツケースであり、衣類などの主物品を収納するケース本体１１と、このケース本体１１に図示せぬヒンジを介して開閉可能に取り付けられた蓋体１２と、ケース本体１１に引き出し可能に設けられた伸縮取っ手１３と、ケース本体１１及び蓋体１２に設けられたキャスター１４とを備えている。伸縮取っ手１３は、ケース本体１１から引き出されるスライドバー１３ａ、１３ａと、伸縮取っ手１３を引き出した状態にロックするとともに押すことでロックを解除するスイッチ１３ｂとを備える。
【００２４】
キャスター１４の取付位置をケース本体１１及び蓋体１２の下部とした場合に、伸縮取っ手１３はケース本体１１の背面上部に位置しており、伸縮取っ手１３を引き出し、手で把持することで、鞄１０を牽引移動させることができる。また、キャスター１４を地面や床に設置することで、鞄１０を自立させることができる。
【００２５】
ケース本体１１の上部には、伸縮取っ手１３とは別に、持ち運び用の上部把持部１５が、揺動可能、起伏又は引出可能に設けられている。詳しくは、ケース本体１１の開口部に又は蓋体１２の開口部に設けられるフレーム２１の上部に、上部把持部１５が設けられている。さらに、ケース本体１１におけるヒンジの反対側の側部には、持ち運び用の側部把持部１６が揺動可能、起伏又は引出可能に設けられている。詳しくは、ケース本体１１の開口部に又は蓋体１２の開口部に設けられるフレーム２１の側部に、上部把持部１５が設けられている。
【００２６】
なお、上部把持部１５の形状及び側部把持部１６の形状は、実施例の形状に限定されず、固定式であってもよく、手で把持することができれば、他の一般的な取っ手の形状であっても差し支えない。また、実施例では、上部把持部１５及び側部把持部１６をフレーム２１に設けたが、これに限定されず、上部把持部１５をケース本体１１の上面２２に設け、側部把持部１６をケース本体１１の側面２３に設けてもよく、さらには、側部把持部１６は無くても差し支えない。
【００２７】
鞄１０は、ケース本体１１に対して蓋体１２を閉じた状態にロックするロック機構２６、２６と、蓋体１２が閉じた状態を解除する解除ボタン２７、２７とを備えている。ロック機構２６、２６は後述する鍵２８（図４参照）によって、ロック状態、アンロック状態が切り換えられる。
【００２８】
また、蓋体１２の上面２４中央に、識別手段３０を構成する第１の識別プレート３１が固定されている。第１の識別プレート３１は、鞄１０の横幅方向に延びるように形成されている。
【００２９】
次に識別手段３０について説明する。
図１〜図３に示されるように、識別手段３０は、第１の識別プレート３１を有する。第１の識別プレート３１は、平面視、横長の長円形状の板材であり、長手方向の両端部には、貫通穴３２、３２が形成されている。第１の識別プレート３１は、貫通穴３２、３２に締結部材である鋲３３、３３が通され、鋲３３、３３によって蓋体１２の上面２４に固定されている。
【００３０】
第１の識別プレート３１には、識別記号３４が記載されている。識別記号３４は、商標３５、品番３６と、生産番号３７とからなる。商標３５を記載することで、他社の類似する鞄と比較した場合であっても、瞬時に鞄１０を識別することができる。さらに、品番３６及び生産番号３７によって、鞄１０を生産した工場、生産日時、部品の有無を容易に確認することができ、アフターサービスに対応することができる。なお、生産番号３７は西暦を含む構成とすることで、より容易に生産年度を把握することができる。
【００３１】
第１の識別プレート３１は鞄１０に固定されているので、仮に鞄１０が空港等で積み替えられて他の荷物と接触した場合であっても従来技術のように紐がとれて外れることがなく、所有者を確認する識別手段を鞄に強固に取り付けることができる。
【００３２】
第１の識別プレート３１には貫通穴３２、３２が形成されているので、鋲３３、３３によって容易に鞄１０に固定することができる。なお、実施例では、締結部材３３を鋲としたが、これに限定されず、ねじ、ボルト等、第１の識別プレート３１を鞄１０に固定できれば締結部材３３の形態はいずれであっても差し支えない。
【００３３】
また、実施例では、実線で示すように第１の識別プレート３１を蓋体１２の上面２４中央に固定したが、これに限定されず、想像線で示すように第１の識別プレート３１を、フレーム２１の上部、ケース本体１１の上面２２、蓋体１２の上面２４端部に固定しても差し支えない。さらには図示はしないが第１の識別プレート３１を、フレーム２１の側部、ケース本体１１の側面２３、蓋体１２の側面２５等、鞄１０の表側であればいずれの位置に固定しても差し支えない。
【００３４】
図４（ａ）に示されるように、識別手段３０は、第１の識別プレート３１（図２参照）とは別体の第２の識別プレート４１を有する。すなわち、識別手段３０は、鞄１０（図２参照）に固定された第１の識別プレート３１と、鞄１０の所有者が所持可能な第２の識別プレート４１とからなる。
【００３５】
第２の識別プレート４１は、第１の識別プレート３１と同形状且つ同じ識別記号３４が記載されている。鞄１０の所有者が第２の識別プレート４１を所持することで、空港に限らずにいずれの場所であっても所有者の鞄１０であることの確認、照合を行うことができる。
【００３６】
さらに、第２の識別プレート４１は第１の識別プレート３１と同形状であり且つ同じ識別記号が記載されているので、第１の識別プレート３１と同じ生産設備で生産することができ、生産コストを低減することができる。さらに、第２の識別プレート４１は長手方向の両端部に貫通穴４２、４２が形成されているので、貫通穴４２に紐等を通して、携帯電話等のストラップとして使用し、常に持ち運ぶことができる。
【００３７】
また、第２の識別プレート４１の貫通穴４２には、リング４３が設けられている。リング４３は第２の識別プレート４１に対して着脱可能に設けられており、リング４３を介して第２プレート４１を携帯バッグ等、他の物品に取り付けて容易に持ち運ぶことができる。さらに、リング４３を外すことで、財布の中等狭い空間に挟めて持ち運ぶことができる。
【００３８】
図４（ｂ）に示されるように、リング４３に鞄１０の鍵２８を取り付けることで、所有者は忘れることなく必然的に且つ常に第２の識別プレート４１を所持することができる。仮に、鞄１０の購入時に、第２の識別プレート４１ではなく識別記号が記載されたカードを渡された場合、近年は様々な種類のカードが発行されているため煩雑となり、識別記号が記載されたカードを持ち忘れる虞がある。この点、鞄１０にはロック機構２６が設けられているので、ロック機構２６の鍵２８と第２の識別プレート４１をリング４３で繋げておけば、第２の識別プレート４１を持ち忘れることなく所持することができる。
【００３９】
次に第１の識別プレート３１の向きについて説明する。
図５に示されるように、第１の識別プレート３１は、鞄１０を運ぶ姿勢にした際の、鞄１０の上面２２、２４又はフレーム２１の上部に設けられ、識別記号３４の向きが運ぶ人（伸縮取っ手１３側）に対して外向きに配置されている。このため、他人が鞄１０を取り違えて持ち去ろうとしても、後ろから（外側から）識別記号３４を容易に確認することができる。
【００４０】
以上に述べた鞄１０の作用を鞄の取り違えの一例に基づいて説明する。
図６（ａ）は空港の荷物引取ターンテーブル５０における平面図であり、荷物引取ターンテーブル上を複数の鞄１０、５１、５２、５３、５４、５５が矢印の向きに流れている。本考案の鞄１０の所有者６０は、自分の鞄１０と同種類の鞄５４の持ち主である他人６４よりも下流の位置で待機し、自分の鞄１０が流れてくるのを待っている。他人６４が鞄１０を取り違え、所有者６０は取り違えに気が付く。
【００４１】
図６（ｂ）は所有者６０が識別手段３０で鞄１０を確認する状態を説明する図である。他人６４は伸縮取っ手１３を握り、鞄１０を引いて歩いている。所有者６０は、他人６４を後ろから追いかけ、第１の識別プレート３１と第２の識別プレート４１とを比較する。
【００４２】
図７に示されるように、第１の識別プレート３１は、鞄１０の上面２４に所有者６０側に向けて配置されているので、所有者６０は第２の識別プレート４１の識別記号３４と第１の識別プレート３１の識別記号３４とを容易に照合し、自分の鞄１０であることを確認することができる。
【００４３】
このように、空港等で同じような鞄５４を持った他人６４に、鞄１０を取り違えて持って行かれても、第１の識別プレート３１の識別記号３４を容易に確認できる。結果、鞄１０を開けて中身を確認しなくても、その場で自分の鞄１０であることを容易に確認するともに、自分の鞄１０であることを証明することができる。
【００４４】
尚、実施例では、鞄１０をスーツケースとしたが、これに限定されず、トランク、布製の鞄、革製の鞄等でもよく、鞄であれば種類は問わない。また、実施例では、第１の識別プレート３１及び第２の識別プレート４１を平面視で長円形としたが、これに限定されず、平面視で矩形、正方形、円形、三角形等でもよく、識別記号が記載できれば他の形状であっても差し支えない。
【００４５】
また、実施例では、識別記号３４を数字としたが、これに限定されず、アルファベット等の文字、記号、点字等でもよく、識別できれば記号の種類は問わない。また、実施例では、識別記号３４に商標を含んだが、商標が記載されていなくてよい。
【産業上の利用可能性】
【００４６】
本考案の鞄は、ビジネスや旅行に使用する鞄に好適である。
【符号の説明】
【００４７】
１０…  鞄
２１…  フレーム
２２…  ケース本体の上面
２４…  蓋体の上面
３０…  識別手段
３１…  第１の識別プレート
３２、４２…  貫通穴
３４…  識別記号
３６…  品番
３７…  生産番号
４１…  第２の識別プレート
４３…  リング
６０…  所有者
【図１】
0003198591.tif 000003
【図２】
0003198591.tif 000004
【図３】
0003198591.tif 000005
【図４】
0003198591.tif 000006
【図５】
0003198591.tif 000007
【図６】
0003198591.tif 000008
【図７】
0003198591.tif 000009
【図８】
0003198591.tif 000010
【図９】
0003198591.tif 000011
【図１０】
0003198591.tif 000012